(57)【要約】【課題】ハウジングに対して電線カバーをスペース効率良く内倒れしないように装着する。【解決手段】ハウジング５００は、電線引出面内の両端部において第１方向に間隔をあけて配置されるとともに第１方向と略直交する第２方向に対向して配置される一対ずつの側壁４１を有する。電線カバー１５０は、電線８００を内側に収容して第２方向に対向配置される一対の側板１５２を有し、両側板１５２の端縁が電線引出面を摺動することで初期位置と装着位置とに第１方向にスライド移動可能とされ、且つ初期位置及び装着位置の入れ替えによって移動方向の変更が可能とされ、さらに、初期位置では、一対ずつの側壁４１のうち移動方向の後方に位置する一対の側壁４１の外面に両側板１５２の内面が当接可能に配置され、装着位置では、一対ずつの側壁４１の外面に両側板１５２の内面が当接可能に配置される。【選択図】図２６
2014075201.tif 000002
【特許請求の範囲】
【請求項１】
電線の端末部に接続された端子金具を挿入可能なキャビティを有するとともに、前記電線が引き出される電線引出面を有し、且つ、前記電線引出面内における第１方向の両端部に間隔をあけて配置されるとともに前記第１方向と略直交する第２方向に対向して配置される一対ずつの側壁を有するハウジングと、
前記電線引出面から引き出された前記電線を覆うように前記ハウジングに装着されるものであり、前記電線を内側に収容して前記第２方向に対向配置される一対の側板を有し、前記両側板の端縁が前記電線引出面を摺動することにより、正規装着される前の初期位置と正規装着された装着位置とに前記第１方向にスライド移動可能とされ、且つ前記初期位置及び前記装着位置を互いに入れ替えることで移動方向を変更することが可能とされ、さらに、前記初期位置から前記装着位置に向かう過程では、少なくとも前記一対ずつの側壁のうち前記移動方向の後方に位置する一対の側壁の外面に前記両側板の内面が摺動可能に配置され、前記装着位置では、前記移動方向の前後両方向に位置する前記一対ずつの側壁の外面に前記両側板の内面が当接可能に配置されるようになっている電線カバーとを備えていることを特徴とするコネクタ。
【請求項２】
前記側壁の外面には、前記電線カバーが前記初期位置に向かう際に前記側板の内面が摺動可能な斜面状のカバー誘い込み面が切り欠いて形成されていることを特徴とする請求項１記載のコネクタ。
【請求項３】
前記カバー誘い込み面が、前記側壁の先端部のみに形成されていることを特徴とする請求項２記載のコネクタ。
【請求項４】
前記ハウジングの前記電線引出面には、前記一対ずつの側壁のうち前記第２方向に対向配置される一対の側壁同士を互いに連結する連結壁が形成されていることを特徴とする請求項１ないし３のいずれか１項記載のコネクタ。
【請求項５】
前記ハウジングにおける前記電線引出面を挟んだ両側には、前記第１方向にほぼ沿った内面を有する一対のカバー装着板が形成され、前記両カバー装着板の内面には、前記第１方向に延びる装着位置ガイド部と、前記第１方向及び前記第２方向の両方向と略直交する第３方向に延びる初期位置ガイド部とが形成され、前記両側板の外面には、装着位置ガイド受け部と、初期位置ガイド受け部とが形成され、前記初期位置ガイド部に前記初期位置ガイド受け部が摺動することで前記電線カバーが前記初期位置に誘導され、次いで、前記装着位置ガイド部に前記装着位置ガイド受け部が摺動することで前記電線カバーが前記装着位置に誘導されるようになっていることを特徴とする請求項１ないし４のいずれか１項記載のコネクタ。
【請求項６】
前記ハウジングには、相手ハウジングが嵌合可能な嵌合凹部が嵌合方向の前方に開口して形成され、前記装着位置ガイド部及び前記初期位置ガイド部が、前記カバー装着板の内面に突出するカバーガイド部に形成され、前記カバーガイド部における前記嵌合方向の前方の端面が、前記嵌合凹部に対向して臨むように配置されていることを特徴とする請求項５記載のコネクタ。
【発明の詳細な説明】
【技術分野】
【０００１】
本発明は、コネクタに関する。
【背景技術】
【０００２】
特許文献１に記載のコネクタは、端子金具を収容可能なキャビティを有し、後面から電線が引き出されるハウジングと、電線を覆うようにハウジングに後方から装着され、電線を内側に収容して対向配置される一対の側板を有する電線カバーとを備えている。ハウジングの外面には、複数のロック突起が形成され、電線カバーの両側板には、枠状をなす複数のロック片が前方に突出して形成されている。この場合、各ロック突起が各ロック片の孔内に弾性的に嵌ることにより、電線カバーがハウジングに固定されるようになっている。
【先行技術文献】
【特許文献】
【０００３】
【特許文献１】特許第３２６６１１５号公報
【発明の概要】
【発明が解決しようとする課題】
【０００４】
上記の場合、電線カバーの両側板がハウジングの外面に装着されるため、両側板の板厚分、コネクタが大型になるという事情がある。特に、上記の場合、電線カバーのさらに外側にレバーが跨るように配置されるため、レバーの大型化も招来するという問題がある。これに鑑み、電線カバーがハウジングの後面の内側に装着されるようにすれば、コネクタ及びレバーが大型にならずに済む。しかるにこの場合、電線カバーの両側板が内側に弾性変形して倒れる可能性がある。また、かかる両側板の内倒れを防止するべく、両側板の内面と当接可能な内倒れ防止用の壁をハウジングの後面に設けるとしても、ハウジングの後面からは電線が引き出されていてスペース的に余裕がないことから、該壁を設けるにあたり、スペース効率の点も考慮しなければならない。
【０００５】
本発明は上記のような事情に基づいて完成されたものであって、ハウジングに対して電線カバーをスペース効率良く内倒れしないように装着することを目的とする。
【課題を解決するための手段】
【０００６】
本発明のコネクタは、電線の端末部に接続された端子金具を挿入可能なキャビティを有するとともに、前記電線が引き出される電線引出面を有し、且つ、前記電線引出面内における第１方向の両端部に間隔をあけて配置されるとともに前記第１方向と略直交する第２方向に対向して配置される一対ずつの側壁を有するハウジングと、前記電線引出面から引き出された前記電線を覆うように前記ハウジングに装着されるものであり、前記電線を内側に収容して前記第２方向に対向配置される一対の側板を有し、前記両側板の端縁が前記電線引出面を摺動することにより、正規装着される前の初期位置と正規装着された装着位置とに前記第１方向にスライド移動可能とされ、且つ前記初期位置及び前記装着位置を互いに入れ替えることで移動方向を変更することが可能とされ、さらに、前記初期位置から前記装着位置に向かう過程では、少なくとも前記一対ずつの側壁のうち前記移動方向の後方に位置する一対の側壁の外面に前記両側板の内面が摺動可能に配置され、前記装着位置では、前記移動方向の前後両方向に位置する前記一対ずつの側壁の外面に前記両側板の内面が当接可能に配置されるようになっている電線カバーとを備えているところに特徴を有する。
【発明の効果】
【０００７】
電線カバーの両側板の端縁が電線引出面を摺動することにより、電線カバーが初期位置から装着位置にスライド移動させられ、初期位置から嵌合位置に向かう過程では、少なくとも電線引出面の各側壁のうち移動方向後方に位置する一対の側壁に両側板が摺動可能に配置されて電線カバーの移動案内がなされ、嵌合位置では移動方向前後両方向に位置する各側壁に両側板が当接可能に配置されて両側板の内倒れが防止され、しかも、電線カバーの移動方向が変更されても各側壁が遊ぶことなく上記した移動案内機能と内倒れ防止機能を発揮するため、ハウジングに対して電線カバーをスペース効率良く内倒れしないように装着することが可能となる。
【図面の簡単な説明】
【０００８】
【図１】本発明の実施例１に係るコネクタの正面図である。
【図２】図１のＡ−Ａ断面図である。
【図３】リブ受け孔内に相手ハウジングのリブが進入した状態をあらわす断面図である。
【図４】コネクタの側面図である。
【図５】図４のＢ−Ｂ断面図である。
【図６】アウタハウジングの正面図である。
【図７】レバーが装着されたアウタハウジングの平面図である。
【図８】アウタハウジングの側面図である。
【図９】インナハウジングが装着されたアウタハウジングの正面図である。
【図１０】図９のＣ−Ｃ断面図である。
【図１１】図９のＤ−Ｄ断面図である。
【図１２】ホルダの正面図である。
【図１３】ホルダの平面図である。
【図１４】ホルダの側面図である。
【図１５】インナハウジングの平面図である。
【図１６】インナハウジングの正面図である。
【図１７】インナハウジングの側面図である。
【図１８】シール部材及びホルダが装着されたインナハウジングの平面図である。
【図１９】図１８のＥ−Ｅ断面図である。
【図２０】シール部材の正面図である。
【図２１】シール部材の側面図である。
【図２２】リテーナの正面図である。
【図２３】リテーナの側面図である。
【図２４】電線カバーの正面図である。
【図２５】電線カバーの側面図である。
【図２６】電線カバーが初期位置に留め置かれたコネクタの背面図である。
【図２７】電線カバーが装着位置に留め置かれたコネクタの背面図である。
【図２８】電線カバーが組み付けられる前のコネクタの断面図である。
【図２９】電線カバーが初期位置に留め置かれたコネクタの断面図である。
【図３０】電線カバーが装着位置に留め置かれたコネクタの断面図である。
【図３１】アウタハウジングの連結壁の部分の拡大側面図である。
【発明を実施するための形態】
【０００９】
本発明の好ましい形態を以下に示す。
前記側壁の外面には、前記電線カバーが前記初期位置に向かう際に前記側板の内面が摺動可能な斜面状のカバー誘い込み面が切り欠いて形成されている。これによれば、電線カバーがカバー誘い込み面に誘導されて初期位置に円滑に至らしめられる。
【００１０】
前記カバー誘い込み面が、前記側壁の先端部のみに形成されている。側壁の外面のうちカバー誘い込み面を除く部分に、側板の内面が摺動可能又は当接可能に配置されるため、電線カバーに対する側壁の移動案内機能及び内倒れ防止機能が支障なく発揮される。
【００１１】
前記ハウジングの前記電線引出面には、前記一対ずつの側壁のうち前記第２方向に対向配置される一対の側壁同士を互いに連結する連結壁が形成されている。連結壁によって両側壁が補強され、且つ装着位置に至った電線カバーを連結壁に当て止めさせることができる。
【００１２】
前記ハウジングにおける前記電線引出面を挟んだ両側には、前記第１方向にほぼ沿った内面を有する一対のカバー装着板が形成され、前記両カバー装着板の内面には、前記第１方向に延びる装着位置ガイド部と、前記第１方向及び前記第２方向の両方向と略直交する第３方向に延びる初期位置ガイド部とが形成され、前記両側板の外面には、装着位置ガイド受け部と、初期位置ガイド受け部とが形成され、前記初期位置ガイド部に前記初期位置ガイド受け部が摺動することで前記電線カバーが前記初期位置に誘導され、次いで、前記装着位置ガイド部に前記装着位置ガイド受け部が摺動することで前記電線カバーが前記装着位置に誘導されるようになっている。これにより、電線カバーがＬ字状に移動案内されて装着位置に至らしめられるから、ハウジングから電線カバーが抜け難くなる。
【００１３】
前記ハウジングには、相手ハウジングが嵌合可能な嵌合凹部が嵌合方向の前方に開口して形成され、前記装着位置ガイド部及び前記初期位置ガイド部が、前記カバー装着板の内面に突出するカバーガイド部に形成され、前記カバーガイド部における前記嵌合方向の前方の端面が、前記嵌合凹部に対向して臨むように配置されている。嵌合凹部の成型に用いられる金型により、カバーガイド部における嵌合方向の前方の端面を成型することができるため、成形性に優れる。
【００１４】
＜実施例１＞
本発明の実施例１を図１〜図３１によって説明する。本実施例のコネクタは、インナハウジング１０、アウタハウジング３０、リテーナ７０、レバー９０、シール部材１００、シールリング１２０、ホルダ１３０、電線カバー１５０、及び端子金具２００を備えて構成される。
【００１５】
インナハウジング１０は合成樹脂製であって、図１５〜図１７に示すように、幅方向に沿った扁平角ブロック状をなしている。インナハウジング１０には、図２及び図１６に示すように、複数のキャビティ１１が前後方向に貫通して形成されている。各キャビティ１１は、上下２段で且つ幅方向に複数列となって配置されている。また、上段の各キャビティ１１の内上面及び下段の各キャビティ１１の内下面には、それぞれ撓み可能なランス１２が前方に突出して形成されている。各キャビティ１１内には後方から端子金具２００が挿入され、正規挿入された各端子金具２００はランス１２によって弾性的に抜け止め係止されるようになっている。なお、インナハウジング１０の上下外面には、図１５に示すように、各ランス１２の成形時に図示しない金型が通過することに伴ってなる型抜き孔１３がキャビティ１１毎に形成されている。
【００１６】
また、インナハウジング１０の上下外面における型抜き孔１３の後方には、図１５及び図１７に示すように、一対の装着溝１４が開口して形成されている。両装着溝１４は、インナハウジング１０の上下外面から両側面に跨って開口するとともに各キャビティ１１に連通する形態とされ、一側方からリテーナ７０がスライドして装着可能とされている。両装着溝１４内には、各ランス１２の基端部１５が突出して配置されている。また、図１７に示すように、インナハウジング１０の上下外面には、両装着溝１４の後端開口縁に沿った段差１６が形成されている。
【００１７】
図１５及び図１７に示すように、インナハウジング１０の両側面における両装着溝１４の直後方には、爪状をなす一対のアウタ用インナロック部１８が突出して形成されている。
また、インナハウジング１０の後面には、各キャビティ１１の後端開口を挟んだ高さ方向両側のうちの一側に、一対のホルダ用インナロック部１９が突出して形成されている。両ホルダ用インナロック部１９は、矩形板状をなし、互いに幅方向に離間して配置されている。図１５に示すように、両ホルダ用インナロック部１９の後端部の外面には、ホルダ用インナロック凹部２１が略矩形に開口して形成されている。また、インナハウジング１０の後端部にはフランジ部２０が周方向に張り出して形成されている。
【００１８】
インナハウジング１０の後面には、各キャビティ１１の後端開口を挟んだ高さ方向両側に、ピン状をなす多数のインナ側位置決め突起２２が幅方向に並んで形成されている。各インナ側位置決め突起２２のうち、高さ方向一側に配置されるものは、図１７に示すように、両ホルダ用インナロック部１９とほぼ同じ高さに位置している。
【００１９】
端子金具２００は導電金属製であって、図３に示すように、筒状の端子接続部２０１と、端子接続部２０１の後方に位置するオープンバレル状のバレル部２０２とを有している。端子接続部２０１内には、インナハウジング１０が相手ハウジング６００に嵌合された場合に、相手ハウジング６００に装着された相手端子金具の雄タブ６１０が挿入接続されるようになっている。また、バレル部２０２は、電線８００の端末部に圧着により接続されている。
【００２０】
端子接続部２０１の周壁には、ランス１２に係止可能な係止突起２０３が突出して形成されている。また、端子接続部２０１の後端縁には、後述するリテーナ７０の抜け止め部７５が係止可能な抜け止め受け部２０４が高さ方向にほぼ沿って形成されている。
【００２１】
シール部材１００はシリコンゴム等のゴム製であって、図２０及び図２１に示すように、幅方向に長い略矩形マット状をなしている。このシール部材１００は、インナハウジング１０の後面全体を覆うようにインナハウジング１０の後面に当接して配置される。図２に示すように、シール部材１００には、各キャビティ１１と同軸で連通する位置に、複数のシール孔１０１が貫通して形成されている。そして、各シール孔１０１の内周面には、前後方向に複数条の内周リップ１０２が周回して形成されている。各シール孔１０１には、端子金具２００の通過後、電線８００が挿入され、各内周リップ１０２が、電線８００の外周面に弾性的に密着するようになっている。
【００２２】
また、図２１に示すように、シール部材１００の外周面には、前後方向に複数条の外周リップ１０３が周回して形成されている。図２に示すように、インナハウジング１０がアウタハウジング３０の後述する収容室３３内に収容されると、各外周リップ１０３が収容室３３の内周面に弾性的に密着するようになっている。
【００２３】
また、図２０に示すように、シール部材１００には、各シール孔１０１を挟んだ高さ方向両側のうちの高さ方向一側に、横長スリット状をなす一対のロック受け孔１０４が貫通して形成されている。両ロック受け孔１０４は、互いに幅方向に離間して配置され、その内周面に、図１９に示すように、前後方向に複数条のロック側内周リップ１０５が周回して形成されている。
【００２４】
また、図２０に示すように、シール部材１００の前面には、各シール孔１０１を挟んだ高さ方向両側に、多数のインナ用位置決め凹部１０６が幅方向に並んで形成されている。各インナ用位置決め凹部１０６のうち、高さ方向一側に配置されるものは、両ロック受け孔１０４とほぼ同じ高さに位置している。
【００２５】
図１９に示すように、シール部材１００がインナハウジング１０に組み付けられると、ロック受け孔１０４にホルダ用インナロック部１９の基端部が挿入され、各ロック側内周リップ１０５がホルダ用インナロック部１９の外面に弾性的に密着するようになっている。また、シール部材１００がインナハウジング１０に組み付けられると、各インナ用位置決め凹部１０６に各インナ側位置決め突起２２が位置決め状態で嵌り込むようになっている。さらに、図１９に示すように、シール部材１００の後面には、各インナ用位置決め凹部１０６と対向する反対側の背合わせ位置に、多数のホルダ用位置決め凹部１０７が幅方向に並んで形成されている。
【００２６】
ホルダ１３０は合成樹脂製であって、図１２及び図１３に示すように、幅方向に長い矩形板状をなしている。そして、ホルダ１３０は、図１８及び図１９に示すように、シール部材１００の後面全体を覆うようにシール部材１００の後面に当接して配置される。図２に示すように、ホルダ１３０には、各シール孔１０１と同軸で連通する位置に、略矩形をなす複数の貫通孔１３１が貫通して形成されている。各貫通孔１３１には、端子金具２００の通過後、電線８００が遊嵌状態で挿入されるようになっている。
【００２７】
また、図１２に示すように、ホルダ１３０には、各貫通孔１３１を挟んだ高さ方向両側のうちの一側に、横長スリット状をなす一対のインナ用ホルダロック部１３２が貫通して形成されている。インナ用ホルダロック部１３２内には、爪状のインナ用ホルダロック突起１３３が突出して配置されている。この場合、インナ用ホルダロック突起１３３は、インナ用ホルダロック部１３２の高さ方向両側の内縁のうち、各貫通孔１３１側とは反対側の内縁に形成されている。
【００２８】
また、ホルダ１３０の前面には、図１２及び図１３に示すように、各貫通孔１３１を挟んだ高さ方向両側に、ピン状をなす多数のホルダ側位置決め突起１３４が幅方向に並んで形成されている。各ホルダ側位置決め突起１３４のうちの一側に配置されるものは、両インナ用ホルダロック部１３２とほぼ同じ高さに位置している。
【００２９】
ホルダ１３０は、シール部材１００に続いてインナハウジング１０に組み付けられる。このとき、図１９に示すように、両ホルダ用インナロック部１９の後端部が両インナ用ホルダロック部１３２内に挿入され、ホルダ用インナロック凹部２１にインナ用ホルダロック突起１３３が弾性的に係止されることにより、ホルダ１３０がインナハウジング１０に固定され、それに伴ってシール部材１００がインナハウジング１０から抜け出るのが規制されるようになっている。また、ホルダ１３０がインナハウジング１０に固定されると、各ホルダ側位置決め突起１３４が各ホルダ用位置決め凹部１０７に位置決め状態で嵌り込むようになっている。
【００３０】
また、図１２に示すように、ホルダ１３０には、各貫通孔１３１を挟んだ高さ方向両側のうちの一側で、且つ幅方向に関して両インナ用ホルダロック部１３２間における各ホルダ側位置決め突起１３４の上方に、アウタ用ホルダロック部１３５が形成されている。アウタ用ホルダロック部１３５は、ホルダ１３０の外縁のうち、各貫通孔１３１の形成領域から離れた高さ方向一側の外縁に沿って配置される両持ち梁状の架橋部１３６と、架橋部１３６の幅方向中央部から外側に突出するアウタ用ホルダロック突起１３７とを有している。架橋部１３６は、ホルダ１３０の外縁（高さ方向一側の外縁）のうち、この架橋部１３６を挟んだ幅方向両側の部分と段差無く同一高さで連なる形態とされている。また、ホルダ１３０の内部には、架橋部１３６の撓み動作を許容する横長スリット状の肉抜き部１３８が貫通して形成されている。言い換えれば、架橋部１３６は、肉抜き部１３８によって区画され、肉抜き部１３８側に撓み変形可能とされている。なお、ホルダ１３０における各貫通孔１３１を挟んだ高さ方向両側のうち、インナ用ホルダロック部１３２及びアウタ用ホルダロック部１３５が配置される高さ方向一側は、他側よりも高さ方向に関して大きなスペースが確保されている。
【００３１】
さらに、図１２に示すように、ホルダ１３０には、各貫通孔１３１を挟んだ幅方向両側に、別の一対のアウタ用ホルダロック部１３５が形成されている。このアウタ用ホルダロック部１３５の場合、架橋部１３６は、ホルダ１３０の外縁のうち、各貫通孔１３１の形成領域を挟んだ幅方向両側の外縁に沿って配置され、アウタ用ホルダロック突起１３７は、架橋部１３６の高さ方向中央部から側外方に突出する形態とされ、架橋部１３６を区画する肉抜き部１３８は、上下２段のキャビティ１１と並んで縦長スリット状に貫通する形態とされている。
【００３２】
続いて、アウタハウジング３０について説明する。アウタハウジング３０は合成樹脂製であって、図６及び図１０に示すように、略角筒状の収容部３１と、収容部３１の周りを取り囲む略角ケース状の嵌合部３２とを備えている。収容部３１には、インナハウジング１０を収容可能な一対の収容室３３が高さ方向に並んで形成されている。両収容室３３は、前後方向に貫通する形態とされ、収容部３１の高さ方向中央部に配置された水平板状の隔壁３４を介して互いに分割されている。収容部３１の後端部と嵌合部３２の後端部とは径方向に沿った連結部３５を介して互いに連結されている。また、収容部３１の前端は嵌合部３２の前端よりも後方に控えて位置している。
【００３３】
図１０に示すように、収容室３３には、段付き部３６が形成され、段付き部３６を境とする前方領域が後方領域よりも開口寸法が小さくされている。また、図６に示すように、収容室３３内の幅方向両側面の前端部には、段付き状の一対のインナ用アウタロック部３８０が形成されている。収容室３３内にインナハウジング１０が正規深さで挿入されると、図１０に示すように、フランジ部２０が段付き部３６に当接してインナハウジング１０のそれ以上前方への挿入動作が規制され、且つ、図５に示すように、アウタ用インナロック部１８がインナ用アウタロック部３８０に弾性的に係止されることによってインナハウジング１０の後方への抜け止めがなされ、もってインナハウジング１０がアウタハウジング３０に固定されるようになっている。そして、インナハウジング１０がアウタハウジング３０に固定されると、図１０に示すように、インナハウジング１０の前部が嵌合部３２内において収容部３１の前端よりも前方に突出して配置され、装着溝１４が収容部３１の前端より少し前方に位置するようになっている。なお、アウタハウジング３０の両収容室３３内に、シール部材１００及びホルダ１３０を組み付けたインナハウジング１０が収容されることによってハウジング５００が構成される。
【００３４】
図２に示すように、収容部３１と嵌合部３２との間で且つ連結部３５の前方には、嵌合時に相手ハウジング６００が進入する嵌合凹部９００が開放して形成されている。収容部３１の外面には略角環状のシールリング１２０が嵌着されている。シールリング１２０は、シリコンゴム等のゴム製であって、段付き部３６の段差状の前面に当接することにより、後方への抜けが規制されるようになっている。そして、シールリング１２０は、嵌合時に、相手ハウジング６００と収容部３１との間に径方向に弾性的に圧縮され、これによって両ハウジング５００、６００間を液密にシールする役割をはたす。
【００３５】
図６に示すように、収容部３１の上下両壁の前端縁には、幅方向に沿った一対のガイド片３７が前方に突出して形成されている。また、ガイド片３７の前端の幅方向一端部には、爪状のリテーナ用アウタロック部３８が前方に突出して形成されている。ガイド片３７及びリテーナ用アウタロック部３８は、収容部３１の上下両壁の壁厚範囲に形成され、詳細には、ガイド片３７及びリテーナ用アウタロック部３８の内外両面は、収容部３１の上下両壁の内外両面と段差無く面一で連続している（図８を参照）。
【００３６】
アウタハウジング３０の後部における両収容室３３の内面に臨む位置には、複数のホルダ用アウタロック部３９が形成されている（図２及び図２６に一部開示）。各ホルダ用アウタロック部３９は、上段の収容室３３における内上面及び内両側面と、下段の収容室３３における内下面及び内両側面とに配置されている。そして、各ホルダ用アウタロック部３９は、各アウタ用ホルダロック突起１３７が嵌合可能な凹状をなし、連結部３５を貫通して嵌合凹部９００内に連通する形態とされている。
【００３７】
また、図２６に示すように、アウタハウジング３０の後面には、同後面内における各電線８００の引き出し領域を挟んだ幅方向両側（両収容室３３を挟んだ幅方向両側でもある）に、一対のカバー装着部（後述するように、側壁４１と連結壁４２とからなるものであり、側壁４１と連結壁４２とを区別しないで説明する場合には、カバー装着部４１、４２と符号を付す）が突出して形成されている。両カバー装着部４１、４２は、上段の収容室３３の上端部及び下段の収容室３３の下端部と同一高さに位置して幅方向に延び且つ互いに略平行に対向して配置される一対ずつの側壁４１と、高さ方向で対をなす側壁４１の幅方向外端に連結されて高さ方向に延びる一対の連結壁４２とからなり、アウタハウジング３０の幅方向両端部において互いに略対称に配置されている。連結壁４２の外面は、嵌合部３２の後述する側壁部５３の外面と段差無く面一で連続している。また、両側壁４１及び連結壁４２で区画される門型枠内には、幅方向両端部に配置された各ホルダ用アウタロック部３９が位置している。
【００３８】
図４に示すように、両側壁４１の後端部（突出端部）の外面には、後方へ向けて次第に内側に傾斜するテーパ状の一対のカバー誘い込み面４３が形成されている。後述するように、電線カバー１５０はカバー誘い込み面４３によって初期位置に誘い込まれるようになっている。また、両側壁４１の外面のうち、カバー誘い込み面４３を除く部分となる前端部（基端部）は、前後方向にほぼ沿った平面とされ、電線カバー１５０の後述する側板１５２の内面と摺動可能に対面するようになっている。
【００３９】
また、図２６に示すように、アウタハウジング３０の後面には、同後面内における各電線８００の引き出し領域を挟んだ高さ方向両側（両収容室３３を挟んだ高さ方向両側でもある）に、平板状をなす一対のカバー装着板４４が後方に突出して形成されている。両カバー装着板４４は、幅方向に沿って互いに略平行に対向して配置され、その外面が嵌合部３２の後述する内壁５６の外面と段差無く面一で連続している。
【００４０】
図２６及び図２８に示すように、カバー装着板４４の内面には、幅方向に一対のカバー抜け止め部４５が突出して形成されている。両カバー抜け止め部４５は、カバー装着板４４の突出方向（前後方向）の全長に亘って延びるリブ状の形態とされ、連結部３５の後端及び収容部３１の後端に一体に連結されている。
【００４１】
また、図２８に示すように、カバー装着板４４の内面には、両カバー抜け止め部４５の幅方向外方に、一対のカバー装着案内部４６が形成されている。カバー装着案内部４６は、電線カバー１５０を後述する初期位置に案内する初期位置ガイド部４７と、電線カバー１５０を後述する装着位置に案内する装着位置ガイド部４８とを有している。
【００４２】
図２８に示すように、初期位置ガイド部４７は、前後方向に沿ってほぼ一定幅で延びて後方に開口する溝状の形態とされ、幅方向に一対の壁間に形成されている。両壁のうち、一方の壁は、前後方向に延びるリブ状の形態とされている。幅方向一側（後述する電線カバー１５０の移動方向後方）の初期位置ガイド部４７の場合、一方の壁は、図２６に示すように、カバー装着板４４の幅方向一端に屈曲形成された端部リブ４９で構成され、幅方向他側（後述する電線カバー１５０の移動方向前方）の初期位置ガイド部４７の場合、一方の壁は、幅方向他側のカバー抜け止め部４５に構成されている。なお、端部リブ４９は、カバー装着板４４の幅方向他端にも幅方向一端側との間に対をなすように屈曲形成されている。
【００４３】
また、両壁のうち、他方の壁は、図２８に示すように、カバー装着板４４における後部から突出する略角ブロック状のカバーガイド部５１とされている。カバーガイド部５１の前面は、図１及び図２８に示すように、連結部３５を貫通する透孔５２を介して、嵌合凹部９００に対向して臨むように配置される。この場合、透孔５２は、カバーガイド部５１を成形する図示しない金型が前方に型抜きされることに伴って連結部３５に略矩形に開口して形成される。また、カバーガイド部５１は、嵌合凹部９００側となる前方から透孔５２を通して目視可能とされている。
【００４４】
図２８に示すように、装着位置ガイド部４８は、幅方向に沿って延びる溝状の形態とされ、初期位置ガイド部４７の略前半部に交差連通し、且つ透孔５２と幅方向他端側で交差連通している。この場合、初期位置ガイド部４７と装着位置ガイド部４８とによってＬ字状の溝が形成されるようになっている。また、装着位置ガイド部４８の後端は、カバーガイド部５１によって区画されている。つまり、カバーガイド部５１における四辺部のうち、前後方向に沿った短辺側の一辺によって初期位置ガイド部４７が区画され、これに隣接する幅方向に沿った長辺側の一辺によって装着位置ガイド部４８が区画されるようになっている。なお、連結部３５の後面のうち初期位置ガイド部４７の前端を閉止する部分により、装着位置ガイド部４８の幅方向一端側が区画されている。また、各カバー抜け止め部４５及び各カバー装着案内部４６は、それぞれアウタハウジング３０の後面における幅方向中央を挟んだ両側に略対称に対をなして配置されている。
【００４５】
嵌合部３２は、図６に示すように、高さ方向にほぼ沿った一対の側壁部５３と、幅方向にほぼ沿った一対の上下壁部５４とからなる。両側壁部５３のうちの一方の側壁部５３には、挿入部５５が開口して形成されている。図８に示すように、挿入部５５は、収容部３１の高さ寸法以上の開口高さを有し、且つ側壁部５３の前端に開口する側面視略矩形の開口形状を有している。挿入部５５の後端縁は、収容部３１の前端より少し後方に位置している。このため、収容部３１の前端部（ガイド片３７及びリテーナ用アウタロック部３８を含む）は、挿入部５５を通して側方から目視可能とされている。なお、他方の側壁部５３における挿入部５５と対向する部分は閉塞されている。
【００４６】
上下壁部５４は、図５に示すように、両側壁部５３に連なる内壁５６と、内壁５６の前端部の外側を覆う外壁５７との二重壁構造の部分を有している。図７に示すように、外壁５７の後端には円弧状の縁取り５８が形成されている。図５に示すように、内壁５６の幅方向両端部と外壁５７の幅方向両端部とは、幅方向に一対の脚壁部５９を介して互いに連結されている。脚壁部５９の外面は、側壁部５３の外面にほぼ段差無く高さ方向に連続している。そして、内壁５６と外壁５７との間には、後述するレバー９０のカム板９２が収容可能とされる収容空間４００が後方に開口して形成されている。また、内壁５６の幅方向中央部には、カムフォロア導入溝６０が前後方向に延出して形成されている。カムフォロア導入溝６０には、前方から相手ハウジング６００の図示しないカムフォロアが導入可能とされている。さらに、内壁５６の外面の後部には、カムフォロア導入溝６０の直後方に、略円柱状の支軸６１が突出して形成されている。
【００４７】
レバー９０は合成樹脂製であって、図２６に示すように、高さ方向にほぼ沿った操作部９１と、操作部９１の高さ方向両端から幅方向に互いに略平行に突出する一対のカム板９２とを有している。そして、レバー９０は、ハウジング５００に後方から跨るように装着され、両カム板９２が支軸６１に嵌合保持された状態で、操作部９１がハウジング５００の後方に離間する回動初期位置（図７を参照）と、操作部９１がハウジング５００の一端に当接可能に配置される回動完了位置（図２６を参照）とに、支軸６１の周りに回動可能とされている。両カム板９２は、両内壁５６及び両カバー装着板４４の外側に重なるように配置され、回動完了位置では、両カム板９２の後端部が両カバー装着板４４の後端よりも後方に突出して配置されるようになっている。
【００４８】
操作部９１には図示しないカバー用レバーロック部が形成され、図７に示すように、カム板９２にはカム溝９３が形成されている。回動初期位置では、カム溝９３の入り口がカムフォロア導入溝６０と連通し、カムフォロア導入溝６０を介して相手ハウジング６００の図示しないカムフォロアが進入可能とされている。レバー９０が回動初期位置から回動完了位置に向けて回動されると、カムフォロアがカム溝９３の溝面を摺動して、両ハウジング５００、６００間にカム作用が発揮され、両ハウジング５００、６００が低嵌合力で嵌合される。そして、レバー９０が回動完了位置に到達すると、カムフォロアがカム溝９３の奥端側に至り、カバー用レバーロック部が後述するレバー用カバーロック部１５３に弾性係止されて、レバー９０の回動操作が規制されるとともに、両ハウジング５００、６００が正規嵌合状態に保持されるようになっている。なお、レバー９０の回動過程では、両カム板９２に嵌合力が付与されて、両カム板９２が外側に拡開しようとするが、本実施例の場合、図７に示すように、両カム板９２の外周縁部の外側に外壁５７が位置しているため、両カム板９２が外壁５７に当接すれば、両カム板９２がそれ以上に拡開することはない。
【００４９】
電線カバー１５０は合成樹脂製であって、図３０に示すように、ハウジング５００の後面を覆うように同後面に取り付けられる。具体的には、電線カバー１５０は、図２４及び図２５に示すように、キャップ状をなし、ハウジング５００の後面と対向して配置される背板１５１と、背板１５１の上下両縁から前方に突出する一対の側板１５２とを有している。ハウジング５００の後面から引き出された各電線８００は、両側板１５２間に収容され、且つ背板１５１によって強制的に屈曲されて電線カバー１５０の一端開口から外部に導出されるようになっている。背板１５１における一端開口とは反対側の端部には、レバー用カバーロック部１５３が撓み可能に形成され、且つ、両側板１５２との間に前後方向に沿ったスリット１５４を介して高さ方向にほぼ沿った垂れ板１５５が形成されている。
【００５０】
そして、電線カバー１５０は、ハウジング５００への装着時に、ハウジング５００の後面に沿って初期位置（図２９を参照）と装着位置（図３０を参照）とに幅方向にスライド移動可能とされている。電線カバー１５０がスライド移動する間、両側板１５２の前端縁が、ハウジング５００の後面、詳細には連結部３５の後面を摺動可能とされている。
【００５１】
また、図２９に示すように、側板１５２の外面には、幅方向に一対の抜け止め突部１５６が突出して形成されている。さらに、側板１５２の外面には、両抜け止め突部１５６の幅方向両外方に、一対のカバー装着案内受け部１５７が形成されている。カバー装着案内受け部１５７は、前後方向に沿った第１リブ１５８と、幅方向に沿った第２リブ１５９とからなり、全体としてＬ字形をなしている。そして、カバー装着案内受け部１５７の幅方向両端（図２９における第１リブ１５８の右側縁と図２９における第２リブ１５９の左側縁）は、初期位置ガイド部４７と摺動可能な初期位置ガイド受け部１６１として構成されている。また、カバー装着案内受け部１５７の第２リブ１５９の前後両端は、装着位置ガイド部４８と摺動可能な装着位置ガイド受け部１６２として構成されている。本実施例の場合、図２４に示すように、装着位置ガイド受け部１６２の前端は、側板１５２の前端に位置して幅方向にほぼ沿って配置されている。
【００５２】
続いて、リテーナ７０について説明する。リテーナ７０は合成樹脂製であって、図２、図４及び図５に示すように、挿入部５５を通して嵌合部３２内に側方から挿入され、さらに両収容室３３内に正規深さで収容されたインナハウジング１０の装着溝１４内に進入して端子金具２００に係止可能とされている。
【００５３】
リテーナ７０は、図２２及び図２３に示すように、略矩形板状の前壁７１と、前壁７１における高さ方向両端から後方に突出する一対の案内壁７２と、前壁７１における幅方向他側端から後方に突出し且つ高さ方向両端が案内壁７２に連なる閉止壁７３と、前壁７１の高さ方向中央部から後方に突出し且つ幅方向他端が閉止壁７３に連なる連絡壁７４と、両案内壁７２の後端部及び連絡壁７４の後端部から内側（後述するインナ挿入空間７７側）に突出する高さ方向にほぼ沿った複数の抜け止め部７５とを有している。リテーナ７０の幅方向一側端は、両収容室３３に収容された２つのインナハウジング１０が一括して進入可能な進入開口７６とされている。また、リテーナ７０内における連絡壁７４を挟んだ両側の空間は、両インナハウジング１０のそれぞれが挿入可能なインナ挿入空間７７とされている。閉止壁７３は、挿入部５５と対応する形状をなし、図４に示すように、側面視した場合に挿入部５５を閉止可能な大きさで構成されている。
【００５４】
また、前壁７１は、正面視した場合に両インナハウジング１０の前面を一括して覆うことが可能な大きさで構成されている。前壁７１には、図３に示すように、両インナハウジング１０の各キャビティ１１と対向する位置に、複数のタブ挿入部７８が開口して形成されている。各タブ挿入部７８内には、嵌合時に相手ハウジング６００に装着された雄タブ６１０が挿入されるようになっている。また、図２２に示すように、前壁７１の高さ方向中央部には、幅方向に沿ったスリット状をなす一対のリブ受け孔７９が貫通して形成されている。リブ受け孔７９は連絡壁７４と同じ高さに位置しており、連絡壁７４におけるリブ受け孔７９と対向する部位は開放されている。図３に示すように、リブ受け孔７９内には相手ハウジング６００のリブ６３０が前方から挿入可能とされている。
【００５５】
両案内壁７２の後端部の内面で且つ抜け止め部７５の後面には、図５及び図２３に示すように、ガイド片３７が嵌合可能な一対のレール部８０が形成されている。レール部８０内は、幅方向に延びる溝状の形態とされ、幅方向一端部に、アウタ用リテーナロック部８１が形成されている。アウタ用リテーナロック部８１は、案内壁７２の内面からレール部８０内に突出する形態とされている。リテーナ７０がアウタハウジング３０に装着される過程では、レール部８０にガイド片３７がスライド案内され、リテーナ７０がアウタハウジング３０に正規装着されると、図５に示すように、アウタ用リテーナロック部８１がリテーナ用アウタロック部３８に弾性的に係止されて、リテーナ７０がアウタハウジング３０に抜け止めされるようになっている。
【００５６】
また、図２、図５及び図２３に示すように、連絡壁７４の後端には、案内壁７２と略平行して幅方向に延びる橋渡し部８２が形成されている。そして、複数の抜け止め部７５は、図２３に示すように、上段の収容室３３内に収容されたインナハウジング１０に対応するように、上側の案内壁７２の後端部及び橋渡し部８２の上端から互いに対向状に突出する一対の上段インナ用抜け止め部８３と、下段の収容室３３内に収容されたインナハウジング１０と対応するように、下側の案内壁７２の後端部及び橋渡し部８２の下端から互いに対向状に突出する一対の下段インナ用抜け止め部８４とからなる。橋渡し部８２では、上段インナ用抜け止め部８３と下段インナ用抜け止め部８４とが上下両方向に突出するようになっている。各抜け止め部７５は、リテーナ７０のほぼ全幅に亘って延びる垂直板状をなし、対応するインナハウジング１０の装着溝１４内に進入可能とされている。
【００５７】
各抜け止め部７５の前面には、装着溝１４内への挿入時に各ランス１２の基端部１５との干渉を回避する逃がし溝８５が全幅に亘って凹み形成されている。また、各抜け止め部７５の前面のうち、逃がし溝８５よりも突出方向先端側の部分は、抜け止め受け部２０４に当接可能な抜け止め本体部８６とされている。各抜け止め部７５が装着溝１４内に正規挿入されると、各キャビティ１１内に正規挿入された端子金具２００の抜け止め受け部２０４に抜け止め本体部８６が対面し、これによって端子金具２００がキャビティ１１内に抜け止めされるようになっている。
【００５８】
次に、本実施例の作用について説明する。
組み付けに際し、まずインナハウジング１０の後面にシール部材１００が取り付けられる。すると、両ロック受け孔１０４内に両ホルダ用インナロック部１９が液密に挿入され、且つ各インナ側位置決め突起２２が各インナ側位置決め凹部内に位置決め状態で挿入される。この場合、シール部材１００がインナハウジング１０に対して上下反転又は表裏反転した姿勢をとっていると、インナハウジング１０の外縁からシール部材１００が大きくはみ出るため、これによってシール部材１００がインナハウジング１０に不正姿勢で取り付けられていることを知ることができる。
【００５９】
続いて、インナハウジング１０に後方からホルダ１３０が取り付けられる。図１９に示すように、両インナ用ホルダロック部１３２内に両ホルダ用インナロック部１９が挿入接続されることにより、ホルダ１３０がインナハウジング１０に固定され、且つホルダ１３０とインナハウジング１０との間にシール部材１００が挟持される。この場合、ホルダ１３０がインナハウジング１０及びシール部材１００に対して上下反転又は表裏反転した姿勢をとっていると、インナハウジング１０の外縁及びシール部材１００の外縁からホルダ１３０が大きくはみ出るとともに、インナ用ホルダロック突起１３３がホルダ用インナロック凹部２１を係止しえず、これによってホルダ１３０がインナハウジング１０に不正姿勢のまま取り付けられるのを回避可能とされている。
【００６０】
続いて、インナハウジング１０の各キャビティ１１内に後方から電線８００付きの端子金具２００を挿入する。挿入過程では、端子金具２００が貫通孔１３１からシール孔１０１を経て対応するキャビティ１１内に挿入される。各キャビティ１１内に端子金具２００が正規挿入されると、係止突起２０３にランス１２が弾性的に係止されて、各端子金具２００がキャビティ１１内に一次的に抜け止めされる。また、各電線８００の外周面はシール部材１００の各内周リップ１０２に弾性的に密着することで各電線８００周りのシールがとられる。
【００６１】
次いで、図１０に示すように、アウタハウジング３０の両収容室３３内にそれぞれ後方から上記インナハウジング１０が挿入される。インナハウジング１０が両収容室３３内に正規深さで収容されると、両アウタ用インナロック部１８が両インナ用アウタロック部３８０に弾性的に係止されて、インナハウジング１０が収容室３３内に抜け止めされるとともに、各アウタ用ホルダロック部１３５が肉抜き部１３８の変形動作を伴ったあと各ホルダ用アウタロック部３９に弾性的に係止されて、ホルダ１３０が収容室３３内に遊動規制状態に保持される。これにより、ホルダ１３０によるシール部材１００の押さえ位置の変動が抑制され、相手ハウジング６００との嵌合後にもシール部材１００の所定のシール性が確保される。
【００６２】
上記の場合、アウタハウジング３０の両収容室３３内にインナハウジング１０が正規収容されると、両収容室３３の内周面に各外周リップ１０３が弾性的に密着して、収容室３３内のシールがとられる。また、インナハウジング１０がアウタハウジング３０に対して上下反転した姿勢をとっていると、各アウタ用ホルダロック部１３５が各ホルダ用アウタロック部３９と対応位置せず、インナハウジング１０が収容室３３内に保持されない。
【００６３】
次いで、図１、図４及び図５に示すように、アウタハウジング３０内に挿入部５５を通して側方からリテーナ７０が挿入される。この場合、リテーナ７０は挿入部５５に略位置決め状態で挿入され、リテーナ７０のインナ挿入空間７７に進入開口７６を通して対応するインナハウジング１０の前部（装着溝１４より前方の部分）が嵌合される。挿入過程では、各抜け止め部７５が両インナハウジング１０の対応する装着溝１４内に進入するとともに、各段差１６内に両レール部８０及び橋渡し部８２が嵌合し、且つ両レール部８０内に両ガイド片３７が進入して、リテーナ７０の装着動作が案内される。
【００６４】
図５に示すように、リテーナ７０が正規の装着位置に至ると、アウタ用リテーナロック部８１がリテーナ用アウタロック部３８に弾性的に係止されるとともに、閉止壁７３がインナハウジング１０の前部側面に当接可能に配置されて、リテーナ７０がアウタハウジング３０及びインナハウジング１０に保持される。また、リテーナ７０が正規の装着位置に至ると、図２に示すように、各抜け止め部７５が両インナハウジング１０の各キャビティ１１内に正規挿入された端子金具２００を抜け止め係止して、各端子金具２００がキャビティ１１内に二次的に抜け止めされる。このとき、仮に、キャビティ１１内に正規挿入されずに半挿入位置に留まっている端子金具２００が含まれていると、その半挿入状態の端子金具２００に抜け止め部７５が干渉するため、リテーナ７０が正規の装着位置に至るのが規制される。その場合は、半挿入状態の端子金具２００を正規挿入位置に押し込めばよい。
【００６５】
一方、仮に、両インナハウジング１０のうちの少なくとも一方のインナハウジング１０が対応する収容室３３内に正規深さで収容されずに半挿入位置で留まっていると、装着溝１４が収容室３３内に隠蔽され、又は装着溝１４が収容室３３の前方に位置していても、挿入部５５によって略位置決めされたリテーナ７０の抜け止め部７５に装着溝１４が対応位置しないことから、抜け止め部７５が装着溝１４内に進入するのが規制される。このため、リテーナ７０の装着動作が規制されることをもってインナハウジング１０が正規収容されていないことを早期に知ることができる。また、インナハウジング１０が収容室３３内に正規深さで収容されていないと、抜け止め部７５に装着溝１４が対応位置しないことに加えて、アウタ用リテーナロック部８１がリテーナ用アウタロック部３８に係止し得ないため、リテーナ７０がアウタハウジング３０から脱落することをもってインナハウジング１０に正規収容されていないことを確実に知ることができる。
【００６６】
また、ハウジング５００の後面には電線カバー１５０が取り付けられる。この場合、図２６から図２９にかけて示すように、レバー９０が回動完了位置に留め置かれた状態で（この点は図２８では非開示）、電線カバー１５０はハウジング５００の後面に対して略直交する方向（ハウジング５００の嵌合方向）から引き下ろされる。すると、各初期位置ガイド受け部１６１が各初期位置ガイド部４７を摺動して、電線カバー１５０が幅方向に位置決めされた状態で初期位置に誘導される。また、初期位置への移動過程では、両側板１５２が、各側壁４１のカバー誘い込み面４３に沿って摺動可能に変位することにより、各側壁４１の外面側に円滑に誘導される。
【００６７】
図２６に示すように、初期位置では、電線カバー１５０の移動方向前後両側（幅方向両側）に位置する両カバー装着部４１、４２のうち、電線カバー１５０の装着位置への移動方向後方に位置するカバー装着部４１、４２における側壁４１の外面に電線カバー１５０の両側板１５２の内面が当接可能に配置される。このため、両側板１５２が内側に倒れ込むのが各側壁４１によって規制される。なお、電線カバー１５０の移動方向後方に位置するカバー装着部４１、４２における側壁４１は、高さ方向で端部リブ４９と対向位置しており、端部リブ４９との間に側板１５２を挟むように配置される。
【００６８】
上記の状態で、図２９から図３０にかけて示すように、電線カバー１５０はハウジング５００の後面に沿って装着位置にスライド移動させられる。このとき、各装着位置ガイド受け部１６２が各装着位置ガイド部４８を摺動して、電線カバー１５０が前後方向に位置決めされた状態で装着位置に誘導される。また、図２６から図２７にかけて示すように、電線カバー１５０の移動過程では、両側板１５２が側壁４１の外面を摺動可能に変位することにより、電線カバー１５０が内倒れすることなく装着位置へと円滑に案内される。
【００６９】
図２７及び図３０に示すように、電線カバー１５０が装着位置に至ると、各抜け止め突部１５６が各カバー抜け止め部４５を弾性的に乗り越えて、電線カバー１５０の初期位置への戻り移動が規制される。また、電線カバー１５０が装着位置に至ると、各第１リブ１５８が各カバーガイド部５１に当接可能に配置されるとともに、図２７に示すように、垂れ板１５５が連結壁４２に当接可能に配置され、これによって電線カバー１５０のさらなる移動操作が規制される。よって、電線カバー１５０は装着位置に移動規制状態に保持される。なお、垂れ板１５５は、両スリット１５４内に両側壁４１が進入することによって連結壁４２と当接可能な位置に至らしめられる。また、装着位置では、図２７に示すように、両スリット１５４内に両側壁４１が進入することにより、両カバー装着部４１、４２の側壁４１の外面に両側板１５２の内面が当接可能に配置され、両側板１５２が内側に倒れ込むのが確実に規制される。
【００７０】
ところで、本実施例の場合、レバー９０の回動方向を時計周りと反時計周りのいずれかの方向に選択可能とされ、それに伴い、電線カバー１５０の移動方向も装着位置と初期位置とを入れ替えて幅方向両側のうちのいずれかに変更可能とされている。しかし、電線カバー１５０の移動方向が変更されても、上記同様に、移動方向後方に位置する両カバー装着部４１、４２における側壁４１の外面に両側板１５２の内面が当接可能及び摺動可能に配置されて、両側板１５２の内倒れが防止されるとともに、電線カバー１５０の装着位置への案内機能が発揮され、さらに、装着位置では、全ての側壁４１の外面に両側板１５２の内面が当接可能に配置されて、両側板１５２の内倒れが確実に防止される。
【００７１】
その後、ハウジング５００は相手ハウジング６００に嵌合される。この場合、図３に示すように、相手ハウジング６００には嵌合動作を案内可能な略水平板状のリブ６３０が前方に突出して形成され、嵌合時には、両リブ６３０が、リブ受け孔７９を通してリテーナ７０の内部に挿入され、且つ上下一対の両インナハウジング１０間の隙間に進入して配置されるようになっている。ここで、両リブ６３０は、嵌合時には収容室３３内の隔壁３４とほぼ同じ高さに位置し、連絡壁７４とともに、両インナハウジング１０の前部間を仕切る隔壁としての役割をはたすことになる。
【００７２】
以上説明したように、本実施例によれば、次の効果を奏することができる。
まず、複数のインナハウジング１０毎に個別にリテーナ７０を設けなくて済むため、部品点数が削減されるとともに、リテーナ７０の組み付けに要する作業負担も軽減される。
【００７３】
また、収容室３３内にインナハウジング１０が挿入された後、その挿入方向と交差する方向からリテーナ７０が挿入部５５を通してアウタハウジング３０内に挿入されるため、収容室３３内に正規挿入されないインナハウジング１０にリテーナ７０が側方から干渉し、リテーナ７０の挿入動作が規制されることをもって、インナハウジング１０が収容室３３内に正規収容されていないことを検知することができる。
【００７４】
また、アウタハウジング３０の嵌合部３２のうち、挿入部５５を挟んだ両側で且つ挿入部５５が開口する側壁部５３と略直交して配置される上下壁部５４に、内壁５６及び外壁５７からなる二重壁構造の部分が形成されているため、アウタハウジング３０に挿入部５５が大きく開口するという事情があっても、アウタハウジング３０の強度が低下するのが効果的に抑えられる。しかも、内壁５６及び外壁５７との間には、レバー９０のカム板９２の収容空間４００が形成されているため、二重壁構造が単なるアウタハウジング３０の強度確保のためではなく、カム板９２の収容部分として有効に利用される。
【００７５】
また、相手ハウジング６００との嵌合時には、相手ハウジング６００のリブ６３０がリブ受け孔７９を通してリテーナ７０内に挿入されて、リブ６３０が両インナハウジング１０間を仕切る隔壁３４を兼用することになるため、全体の構成が簡素化され、且つアウタハウジング３０内に装着されるリテーナ７０と隔壁３４との干渉を容易に回避することが可能となる。
【００７６】
また、本実施例によれば、ホルダ１３０がインナ用ホルダロック部１３２を介してインナハウジング１０に固定される上、アウタ用ホルダロック部１３５を介してアウタハウジング３０に固定されるため、アウタハウジング３０内におけるホルダ１３０の遊動が規制され、ホルダ１３０によるシール部材１００の押さえ位置の変動が抑えられる。その結果、シール部材１００のシール性が良好に発揮される。しかも、ホルダ１３０がインナハウジング１０に固定されるに際し、インナ用ホルダロック部１３２がホルダ用インナロック部１９に弾性的に係止されるため、作業性が良好となる。
【００７７】
しかも、インナハウジング１０がアウタ用インナロック部１８を有し、アウタハウジング３０がインナ用アウタロック部３８０を有し、アウタ用インナロック部１８がインナ用アウタロック部３８０に弾性的に係止されることにより、インナハウジング１０がアウタハウジング３０に固定されるため、シール部材１００の前後両側が位置決めされ、シール部材１００のシール性がより良好に発揮される。
【００７８】
また、アウタ用ホルダロック部１３５は、ホルダ１３０の外周縁において撓み可能な両持ち梁状の架橋部１３６を有し、ホルダ１３０の内部には、架橋部１３６の撓み動作を許容する肉抜き部１３８が形成されているため、ホルダ１３０の大型化が回避されるのに加え、アウタ用ホルダロック部１３５の撓み動作の円滑性が担保される。
【００７９】
また、本実施例によれば、ホルダ１３０のうち複数の貫通孔１３１が形成される領域とは反対側の領域に、インナ用ホルダロック部１３２及びアウタ用ホルダロック部１３５が偏って配置されているため、各貫通孔１３１の形成領域とインナ用ホルダロック部１３２及びアウタ用ホルダロック部１３５の配置領域とが区別されることとなり、スペース効率が良好となるのに加え、ホルダ１３０がインナハウジング１０及びアウタハウジング３０に対して両領域の並び方向に反転して装着される事態が回避される。
【００８０】
また、ホルダ用インナロック部１９及びインナ用ホルダロック部１３２はインナハウジング１０及びホルダ１３０が不正な組み付け姿勢をとる場合には相互に係止し得ない位置に配置されているため、ホルダ１３０がインナハウジング１０に正規姿勢で組み付けられるのが保障される。
【００８１】
さらに、ホルダ用アウタロック部３９及びアウタ両ホルダロック部１３５も、アウタハウジング３０及びホルダ１３０が不正な組み付け姿勢をとる場合には相互に係止し得ない位置に配置されているため、ホルダ１３０がアウタハウジング３０に正規姿勢で組み付けられるのが保障される。
【００８２】
また、本実施例によれば、インナハウジング１０がアウタハウジング３０の収容室３３内に正規深さで収容されない場合には、アウタ用リテーナ係合部としての案内壁７２がリテーナ用アウタ係合部としての挿入部５５内に挿入された状態で、インナ用リテーナ係合部としての各抜け止め部７５がリテーナ用インナ係合部としての装着溝１４内に進入するのが規制され、且つアウタ用リテーナロック部８１がリテーナ用アウタロック部３８に係止し得ないため、リテーナ７０が正規装着されないことにより、インナハウジング１０がアウタハウジング３０の収容室３３内に正規収容されていないことを検知することができる。この場合、リテーナ７０がインナハウジング１０の収容状態を検知する機能を兼備するため、リテーナ７０に加えて専用の検知部材が設けられるよりも、構成が簡素化される。
【００８３】
また、インナハウジング１０にリテーナ用インナ係合部としての装着溝１４が開口して形成され、インナ用リテーナ係合部としての各抜け止め部７５は、インナハウジング１０が収容室３３内に正規深さで挿入される場合にその挿入方向と交差する方向から装着溝１４内に進入するようになっている。したがって、インナ用リテーナ係合部が装着溝１４内に進入しないことにより、インナハウジング１０がアウタハウジング３０の収容室３３内に正規収容されていない状態にあることを早い段階で知ることができる。
【００８４】
また、アウタハウジング３０にリテーナ用アウタ係合部としての挿入部５５が開口して形成され、アウタ用リテーナ係合部としての案内壁７２が挿入部５５内に挿入されることにより、各抜け止め部７５が装着溝１４内に進入可能な位置に略位置決めされるため、挿入部５５を通して各抜け止め部７５が装着溝１４と正確に対応位置することになり、検知信頼性が高められる。
【００８５】
また、リテーナ用アウタ係合部及びアウタ用リテーナ係合部が相互に弾性係止可能なリテーナ用アウタロック部３８及びアウタ用リテーナロック部８１によっても構成されるため、リテーナ７０がアウタハウジング３０に弾性係止されないことにより、インナハウジング１０がアウタハウジング３０の収容室３３内に正規収容されてない状態にあることを確実に知ることができる。
【００８６】
また、リテーナ用アウタロック部３８が、収容室３３の前端縁から前方に突出する形態とされているため、コネクタが高さ方向又は幅方向に大型になるのが回避される。
【００８７】
また、本実施例によれば、電線カバー１５０の両側板１５２の端縁がハウジング５００の後面を摺動することにより、電線カバー１５０が初期位置から装着位置にスライド移動させられ、初期位置から嵌合位置に向かう過程では、各側壁４１のうち移動方向後方に位置する一対の側壁４１に両側板１５２が摺動可能に配置されて電線カバー１５０の移動案内がなされ、嵌合位置では移動方向の前後両側に位置する各側壁４１に両側板１５２が当接可能に配置されて両側板１５２の内倒れが防止され、しかも、電線カバー１５０の移動方向が変更されても各側壁４１が遊ぶことなく上記した移動案内機能と内倒れ防止機能とが適正に発揮されるため、ハウジング５００に対して電線カバー１５０をスペース効率良く内倒れしないように装着することが可能となる。
【００８８】
また、側壁４１の外面には、電線カバー１５０が初期位置に向かう際に側板１５２の内面が摺動可能な斜面状のカバー誘い込み面４３が切り欠いて形成されているため、電線カバー１５０がカバー誘い込み面４３に誘導されて初期位置に円滑に至らしめられる。
【００８９】
しかも、カバー誘い込み面４３が側壁４１の先端部のみに形成され、側壁４１の外面のうちカバー誘い込み面４３を除く部分に、側板１５２の内面が摺動可能又は当接可能な領域が確保されているため、電線カバー１５０に対する側壁４１の移動案内機能及び内倒れ防止機能が支障なく発揮される。
【００９０】
また、ハウジング５００の後面には、一対ずつの側壁４１のうち前後方向（第２方向）に対向配置される一対の側壁４１同士を互いに連結する連結壁４２が形成されているため、両側壁４１が補強され、さらに、電線カバー１５０が装着位置に至ったときに、垂れ板１５５が連結壁４２に当接して、電線カバー１５０が移動を停止させられる。
【００９１】
また、ハウジング５００の後面を挟んだ高さ方向（第３方向）両端部には、幅方向（第１方向）にほぼ沿った内面を有する一対のカバー装着板４４が形成され、両カバー装着板４４の内面には、幅方向に延びる装着位置ガイド部４８と、高さ方向に延びる初期位置ガイド部４７とが形成され、両側板１５２の外面には、装着位置ガイド受け部１６２と、初期位置ガイド受け部１６１とが形成され、初期位置ガイド部４７に初期位置ガイド受け部１６１が摺動することで電線カバー１５０が初期位置に誘導され、次いで、装着位置ガイド部４８に装着位置ガイド受け部１６２が摺動することで電線カバー１５０が装着位置に誘導されるため、電線カバー１５０がＬ字状に移動案内されて装着位置に至らしめられ、ハウジング５００から電線カバー１５０が抜け難くなる。
【００９２】
また、ハウジング５００には、相手ハウジング６００が嵌合可能な嵌合凹部９００が前方に開口して形成され、装着位置ガイド部４８及び初期位置ガイド部４７が、カバー装着板４４の内面に突出するカバーガイド部５１に形成され、カバーガイド部５１の前端面が、嵌合凹部９００に対向して臨むように配置されているため、嵌合凹部９００の成型に用いられる図示しない金型により、カバーガイド部５１における嵌合方向の前方の端面を成型することが可能となり、成形性に優れる。
【００９３】
＜他の実施例＞
本発明は上記記述及び図面によって説明した実施例に限定されるものではなく、例えば次のような態様も本発明の技術的範囲に含まれる。
（１）図３１に示すように、連結壁４２の後端に円弧状の凹部６９を切り欠き形成してもよい。こうすると、ハウジング５００の後面から引き出された各電線８００が凹部６９内に進入して逃がされる。
（２）アウタハウジングに３つ以上の収容室が形成され、各収容室に収容される３つ以上のインナハウジングに対応する１つのリテーナがアウタハウジング内に組み付けられるものであってもよい。
（３）フロントタイプのリテーナがアウタハウジング内に前方から組み付けられ、インナハウジングが収容室内に正規挿入されていない場合に、インナ用リテーナ係合部がリテーナ用インナ係合部に係合しない構成であってもよい。
（４）初期位置では、電線カバーの移動方向両側の各カバー装着部における各側壁の外面に電線カバーの両側板の内面が当接可能に配置されるものであってもよい。
（５）上記実施例において、凹状の部分と突状の部分とが凹凸嵌合する複数の場合において、特に問題無ければ、凹状を突状に、突状を凹状に、それぞれ変更してもよい。
【符号の説明】
【００９４】
１０…インナハウジング
１１…キャビティ
１４…装着溝
１８…アウタ用インナロック部
１９…ホルダ用インナロック部
３０…アウタハウジング
３３…収容室
３４…隔壁
３８…リテーナ用アウタロック部
３９…ホルダ用アウタロック部
４１…側壁（カバー装着部）
４２…連結壁（カバー装着部）
４３…カバー誘い込み面
４４…カバー装着板
４７…初期位置ガイド部
４８…装着位置ガイド部
５１…カバーガイド部
５５…挿入部
５６…内壁
５７…外壁
７０…リテーナ
７１…前壁
７５…抜け止め部
７９…リブ受け孔
８１…アウタ用リテーナロック部
９０…レバー
９１…操作部
９２…カム板
１００…シール部材
１０１…シール孔
１３０…ホルダ
１３１…貫通孔 
１３２…インナ用ホルダロック部
１３５…アウタ用ホルダロック部
１３７…アウタ用ホルダロック突起
１３８…肉抜き部
１５０…電線カバー
１６１…初期位置ガイド受け部
１６２…装着位置ガイド受け部
２００…端子金具
３８０…インナ用アウタロック部
５００…ハウジング
６００…相手ハウジング
６１０…雄タブ
６３０…リブ
８００…電線
９００…嵌合凹部
【図１】
2014075201.tif 000003
【図２】
2014075201.tif 000004
【図３】
2014075201.tif 000005
【図４】
2014075201.tif 000006
【図５】
2014075201.tif 000007
【図６】
2014075201.tif 000008
【図７】
2014075201.tif 000009
【図８】
2014075201.tif 000010
【図９】
2014075201.tif 000011
【図１０】
2014075201.tif 000012
【図１１】
2014075201.tif 000013
【図１２】
2014075201.tif 000014
【図１３】
2014075201.tif 000015
【図１４】
2014075201.tif 000016
【図１５】
2014075201.tif 000017
【図１６】
2014075201.tif 000018
【図１７】
2014075201.tif 000019
【図１８】
2014075201.tif 000020
【図１９】
2014075201.tif 000021
【図２０】
2014075201.tif 000022
【図２１】
2014075201.tif 000023
【図２２】
2014075201.tif 000024
【図２３】
2014075201.tif 000025
【図２４】
2014075201.tif 000026
【図２５】
2014075201.tif 000027
【図２６】
2014075201.tif 000028
【図２７】
2014075201.tif 000029
【図２８】
2014075201.tif 000030
【図２９】
2014075201.tif 000031
【図３０】
2014075201.tif 000032
【図３１】
2014075201.tif 000033